(57)【要約】【課題】ベッドの使用者だけでなく使用者以外の者も容易に扱うこと可能な棚を備えるベッドを提供する。【解決手段】ベッド１０は、人が横たわるためのベッドであって、床部２０と、床部２０を支持する基台３０と、床部２０の頭側端部の外方に立設される第一壁部４０と、床部２０の足側端部の外方に立設される第二壁部５０と、第一壁部４０および第二壁部５０の少なくとも一方の外側面４１に設けられる棚部６０とを備える。【選択図】図１
2017070457.tif 000002
【特許請求の範囲】
【請求項１】
人が横たわるためのベッドであって、
床部と、
前記床部を支持する基台と、
前記床部の頭側端部の外方に立設される第一壁部と、
前記床部の足側端部の外方に立設される第二壁部と、
前記第一壁部および第二壁部の少なくとも一方の外側面に設けられる棚部とを備えるベッド。
【請求項２】
前記棚部は、前記外側面に沿って上下方向の位置を変更可能に前記外側面に設けられる請求項１に記載のベッド。
【請求項３】
前記棚部は、前記外側面からの着脱により前記上下方向の位置を変更可能に前記外側面に設けられる請求項２に記載のベッド。
【請求項４】
前記棚部は、前記外側面に沿ってスライドすることにより前記上下方向の位置を変更可能に前記外側面に設けられる請求項２に記載のベッド。
【請求項５】
前記第一壁部および前記第二壁部の少なくとも一方の前記外側面に電源コンセントが設けられる請求項１〜４のいずれか１項に記載のベッド。
【請求項６】
前記第一壁部の下端部は、前記足側端部に向けて湾曲して突出している請求項１〜５のいずれか１項に記載のベッド。
【請求項７】
前記第一壁部の前記下端部は、サイドレールを支持する側壁部と連なっている請求項６に記載のベッド。
【請求項８】
前記第一壁部が前記第一壁部の側部を覆うカバーを有し、
前記カバーは、前記第一壁部の本体部の形状に沿って前記カバーの下端部を前記足側端部に向けて湾曲して突出している請求項６または７に記載のベッド。
【請求項９】
前記棚部は、前記棚部の周縁部に上方に向けて立設される凸部を有する請求項１〜８のいずれか１項に記載のベッド。
【発明の詳細な説明】
【技術分野】
【０００１】
本発明は、ベッドに関する。
【背景技術】
【０００２】
従来のベッドには、ヘッドボードの内側に棚を有するものが知られている（例えば、特許文献１を参照）。これにより、ベッドの使用者の身の回りに物を置けるという利便性が確保される。
【先行技術文献】
【特許文献】
【０００３】
【特許文献１】登録実用新案第３１９３５６７号公報
【発明の概要】
【発明が解決しようとする課題】
【０００４】
しかしながら、特許文献１の技術では、使用者以外の者（例えば、看護師や介護者）が棚にアクセスしようとした場合、ヘッドボード越しに棚にアクセスしなければならないので、ベッドの使用者以外の者が棚を扱いにくいという課題がある。
【０００５】
そこで、本発明は、ベッドの使用者だけでなく使用者以外の者も容易に扱うことが可能な棚を備えるベッドを提供することを目的とする。
【課題を解決するための手段】
【０００６】
上記目的を達成するために、本発明に係るベッドの一態様は、人が横たわるためのベッドであって、床部と、前記床部を支持する基台と、前記床部の頭側端部の外方に立設される第一壁部と、前記床部の足側端部の外方に立設される第二壁部と、前記第一壁部および第二壁部の少なくとも一方の外側面に設けられる棚部とを備える。
【発明の効果】
【０００７】
本発明によれば、ベッドの使用者だけでなく使用者以外の者も容易に棚を扱うことが可能となる。
【図面の簡単な説明】
【０００８】
【図１】実施の形態１に係るベッドの模式的な斜視図
【図２】実施の形態１に係るベッドの模式的な側面図
【図３】実施の形態１に係るベッドの第一壁部および棚部の模式的な説明図
【図４】実施の形態１に係るベッドの第一壁部および棚部の模式的な断面図
【図５】実施の形態２に係るベッドの第一壁部および棚部の模式的な斜視図
【図６】実施の形態２に係るベッドの第一壁部および棚部の模式的な断面図
【図７】実施の形態２に係るベッドの棚部の模式的な斜視図
【図８】実施の形態２に係るベッドの棚部の模式的な斜視図
【発明を実施するための形態】
【０００９】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置および接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。
【００１０】
なお、各図は、模式図であり、必ずしも厳密に図示されたものではない。また、各図において、実質的に同一の構成に対しては同一の符号を付しており、重複する説明は省略または簡略化する。
【００１１】
（実施の形態１）
以下、実施の形態１に係るベッドについて説明する。
【００１２】
図１は、実施の形態１に係るベッド１０の模式的な斜視図である。図２は、実施の形態１に係るベッド１０の模式的な側面図である。ベッド１０は、人が横たわるためのベッドである。図１および図２に示されているように、ベッド１０は、床部２０と、基台３０と、第一壁部４０と、第二壁部５０と、棚部６０とを備える。
【００１３】
床部２０は、横たわる使用者を支持する板体である。例えば、床部２０は、長方形で適度な厚みを持つマットレス、または、マットレスを支持する板体である。
【００１４】
基台３０は、床部２０を支持する。基台３０は、例えば、床部２０を水平状態に保たせる役割を果たす金属フレームである。また、基台３０には、電動ベッドのように床部２０の形状を適宜変化させる機構、駆動部および制御回路が含まれてもよい。
【００１５】
第一壁部４０は、床部２０の頭側端部（Ｘ軸方向のマイナス側端部）の外方に立設されている。第一壁部４０は、床部２０より若干大きな幅（Ｙ軸方向の長さ）を持ち、上下方向（Ｚ軸方向）に延びている。なお、第一壁部４０は、「ヘッドボード」と呼ばれることもある。第一壁部４０は、基台３０に固定される。なお、第一壁部４０は、基台３０から取り外し可能であってもよい。また、第一壁部４０は、木、金属、樹脂などあらゆる材料で適宜作製される。例えば、第一壁部４０は、上下方向（Ｚ軸方向）に沿って真っ直ぐに延びるのではなく、Ｘ軸方向のマイナス側に傾くかたちで立設されてもよい。なお、第一壁部４０の幅（Ｙ軸方向の長さ）は、床部２０の幅よりも大きくても、小さくてもよい。
【００１６】
第二壁部５０は、床部２０の足側端部（Ｘ軸方向のプラス側端部）の外方に立設されている。第二壁部５０は、床部２０より若干大きな幅（Ｙ軸方向の長さ）を持ち、上下方向（Ｚ軸方向）に延びている。なお、第二壁部５０は、上下方向（Ｚ軸方向）に沿って真っ直ぐに延びるのではなく、Ｘ軸方向のプラス側に傾くかたちで立設されていてもよい。
【００１７】
ベッド１０では、第二壁部５０の高さ（Ｚ軸方向の長さ）は、典型的には第一壁部４０の高さよりも低い。なお、第二壁部５０の高さ（Ｚ軸方向の長さ）は、第一壁部４０の高さと同一でも、第一壁部４０の高さよりも高くてもよい。
【００１８】
第二壁部５０は、「フットボード」と呼ばれることもある。第二壁部５０は、基台３０に固定される。なお、第二壁部５０は、基台３０から取り外し可能でもよい。また、第二壁部５０は、木、金属、樹脂などあらゆる材料で適宜作製される。
【００１９】
なお、第二壁部５０の幅（Ｙ軸方向の長さ）は、床部２０の幅よりも大きくても、小さくてもよい。
【００２０】
棚部６０は、第一壁部４０および第二壁部５０の少なくとも一方の外側面４１に設けられる。ベッド１０では、棚部６０は、第一壁部４０の外側面４１（Ｘ軸方向のマイナス側に面する側面）に設けられる。棚部６０は、板状の部材である。棚部６０では、載置面６１が水平（Ｘ−Ｙ平面）に延びている。この載置面６１に、物を置くことができる。図示しないが、棚部６０は、第一壁部４０に加えて第二壁部５０にも設けてもよく、第二壁部５０のみに設けてもよい。また、棚部６０は、木、金属、樹脂などあらゆる材料で適宜作製される。
【００２１】
本実施の形態のベッド１０のように、棚部６０が第一壁部４０の外側面４１（Ｘ軸方向のマイナス側に面する側面）に設けられる場合、使用者以外の者が容易に棚部６０を扱うことが可能になる。
【００２２】
また、棚部６０が第一壁部４０の上端部８１の近傍の外側面４１に設けられる場合には、ベッド１０の使用者も容易に棚部６０を扱うことが可能になる。
【００２３】
例えば、ベッド１０を介護用ベッドや病院用ベッドとして用いる場合には、介護者や看護師が棚部６０に介護用具や医療用具などを容易に置くことができる点において、ベッド１０は優れる。なお、棚部６０の取り付け位置（高さ）によっては、ベッド１０に横たわる患者（使用者）は第一壁部４０越しに棚部６０に置かれた介護用具や医療用具にアクセスしなければならなくなる。そのため、棚部６０に置かれた介護用具や医療用具に患者が不必要に触れてしまうことを防止する点においても、ベッド１０は優れる。
【００２４】
図１および図２に示されているように、第一壁部４０の下端部８２は、足側端部（Ｘ軸方向のプラス側端部）に向けて水平方向に湾曲して突出していてもよい。図２に示されているように、第一壁部４０の下端部８２が湾曲していることにより、第一壁部４０の下端部８２の近傍と床面との間に物を配置することを可能とする空間８３が生まれる。すなわち、第一壁部４０の下端部８２が湾曲していることにより、第一壁部４０の下端部８２の近傍の空間８３を有効利用することが可能になる。
【００２５】
また、第一壁部４０の下端部８２は、サイドレール（図示せず）を支持する側壁部９０（サイドレールホルダともいう）と連なっていてもよい。このような構成の場合、ベッド１０を側方から見た場合に、構造的な一体性を視覚的に感じさせることが可能になる。例えば、第一壁部４０の表面（例えば、後述のカバー９１）および側壁部９０の表面に木目調の印刷が施されていてもよい。このように木目調の印刷が施されている場合、第一壁部４０と側壁部９０との視覚的な一体性を強調することで見る人に高級感を与えることが可能になる。
【００２６】
また、ベッド１０では、第一壁部４０が、第一壁部４０の側部（Ｙ軸方向で対向する側部）を覆うカバー９１を有する。そして、カバー９１は、第一壁部４０の本体部９２の形状に沿ってカバー９１の下端部を足側端部（Ｘ軸方向のプラス側端部）に向けて湾曲して突出している。このような構成のカバー９１が設けられている場合、第一壁部４０の下端部８２の近傍に物を配置することを可能とする空間８３が生まれる。また、ベッド１０を側方から見た場合に、構造的な一体性を視覚的に感じさせることで、見る人に高級感を与えることが可能になる。なお、第一壁部４０の本体部９２とカバー９１とは、同じ材質であっても、異なる材質であってもよい。例えば、第一壁部４０が木製で、カバー９１が樹脂製であってもよい。
【００２７】
第一壁部４０と同様に、第二壁部５０についても、第二壁部５０の下端部８４が、頭側端部（Ｘ軸方向のマイナス側端部）に向けて湾曲して突出していてもよい。また、第二壁部５０の下端部８４は、サイドレール（図示せず）を支持する側壁部９０（サイドレールホルダともいう）と連なっていてもよい。さらに、第二壁部５０が、第二壁部５０の側部（Ｙ軸方向で対向する側部）を覆うカバー９３を有していてもよい。そして、カバー９３は、第二壁部５０の本体部の形状に沿ってカバー９３の下端部を頭側端部（Ｘ軸方向のマイナス側端部）に向けて湾曲して突出していてもよい。
【００２８】
更に、ベッド１０では、棚部６０は、第一壁部４０の外側面４１に沿って上下方向（Ｚ軸方向）の位置を変更可能に外側面４１に設けられている。
【００２９】
このように棚部６０の上下方向（Ｚ軸方向）の位置を変更することが可能であるので、棚部６０に置く物の大きさ、および棚部６０を扱う人の身長や体勢に応じて適度な高さに、載置面６１の位置が設定され得る。
【００３０】
より詳しくは、ベッド１０では、棚部６０は、第一壁部４０の外側面４１からの着脱により上下方向（Ｚ軸方向）の位置を変更可能に外側面４１に設けられる。以下、棚部６０の位置を着脱によって変更する仕組みの一例を説明する。
【００３１】
図３は、図１における第一壁部４０および棚部６０の詳細な構造を示す図である。なお、図３では、第一壁部４０と棚部６０とが分離されている状態を示している。図４は、棚部６０を第一壁部４０の所望の位置に固定した場合の、凹部４８を含む位置におけるＹ−Ｚ平面の棚部６０と第一壁部４０の断面図である。
【００３２】
図３に示されているように、棚部６０は、第一壁部４０の外側面４１から取り外すことが可能である。
【００３３】
第一壁部４０では、上下方向（Ｚ軸方向）および幅方向（Ｙ軸方向）に延びる背壁４２の、上端部８１を除く周縁を、側壁４４，側壁４５、および底壁４６がＸ軸方向のマイナス側に向けて立設されて取り囲んでいる。つまり、背壁４２、側壁４４，側壁４５、および底壁４６によって、第一壁部４０の外側面４１には窪みが形成されている。
【００３４】
図３および図４に示されているように、この窪みの内では、側壁４４からは、内側（Ｙ軸方向のマイナス側）に向けて、受け部４６ａ、受け部４７ｃ、受け部４７ｅが突出して設けられている。また、側壁４５からは、内側（Ｙ軸方向のプラス側）に向けて、受け部４７ｂ、受け部４７ｄ、受け部４７ｆが突出して設けられている。なお、受け部４６ａと受け部４７ｂとの対、受け部４７ｃと受け部４７ｄとの対、受け部４７ｅと受け部４７ｆとの対は、それぞれ上下方向（Ｚ軸方向）で同じ位置に配置されている。さらに、受け部４６ａ〜受け部４７ｆのそれぞれには、受け部４６ａ〜受け部４７ｆの上面４９から下方（Ｚ軸方向のマイナス側）に凹んだ凹部４８が設けられている。
【００３５】
一方、棚部６０では、第一壁部４０の外側面４１と接する基部６２の両側に、上下方向（Ｚ軸方向）に貫通する貫通孔６３が設けられている。
【００３６】
棚部６０を第一壁部４０の外側面４１に設置する際には、以下の操作を行う。図３に示されているように、上述した第一壁部４０の外側面４１の窪みの中に、棚部６０を基部６２から差し込む。そして、同じ高さで対をなしている受け部、例えば、図４に示されているように、受け部４７ｃおよび受け部４７ｄの上面４９に棚部６０の底部６４を当接させつつ、受け部４７ｃおよび受け部４７ｄの凹部４８と棚部６０の貫通孔６３とを連通させた状態にしておく。そして、貫通孔６３および凹部４８にピン７０を挿入することにより、棚部６０を第一壁部４０の外側面４１に固定する。
【００３７】
例えば、図４に示されている状態から棚部６０の位置を上げたい場合には、ピン７０を外して棚部６０を第一壁部４０から分離し、上述と同様の要領で、受け部４６ａおよび受け部４７ｂに棚部６０を固定するとよい。
【００３８】
なお、受け部４７ａ〜４７ｆは、側壁４４，４５からではなく、背壁４２からＸ軸方向のマイナス側に向けて突出していてもよい。例えば、受け部４７ａ〜４７ｆは、背壁４２の中央部分からＸ軸方向のマイナス側に向けて突出していてもよい。
【００３９】
なお、ベッド１０では、棚部６０の上下方向（Ｚ軸方向）の位置を３カ所変更することが可能であるが、２カ所だけ変更可能でも４カ所以上変更可能でもよい。
【００４０】
図３に示されているように、ベッド１０では、第一壁部４０および第二壁部５０の少なくとも一方の外側面４１に電源コンセントが埋設して設けられるとよい。特に、棚部６０を設けられた第一壁部４０または第二壁部５０の外側面４１に、電源コンセント８０が設けられることが好ましい。例えば、図３に示されているように、第一壁部４０に棚部６０が設けられる場合には、第一壁部４０に電源コンセント８０が設けられることが好ましい。こうした構成の場合、棚部６０の載置面６１に電気機器を置いて使用することが可能になる。
【００４１】
また、第一壁部４０に棚部６０が設けられる場合には、第一壁部４０の上端部８１に、電源コンセント８０が設けられることが好ましい。この場合、棚部６０を上下方向（Ｚ軸方向）のあらゆる位置に設置しても、電源コンセント８０を容易に使用することができる。
【００４２】
更に、図３に示されているように、棚部６０は、棚部６０の周縁部に上方（Ｚ軸方向のプラス側）に向けて立設される凸部６５を有することが好ましい。凸部６５は、棚部６０の周縁部のうちで外側面４１と接する部分以外の部分で立設されることが好ましい。つまり、凸部６５は、棚部６０の周縁部のうちで基部６２以外の部分で立設されることが好ましい。このような凸部６５を有する場合、棚部６０の載置面６１の周縁部が凸部６５および第一壁部４０の背壁４２により取り囲まれる。そのため、載置面６１に置かれた物の落下を抑制することが可能になる。また、棚部６０の基部６２の周縁部に凸部６５が設けられないことにより、載置面６１の有効面積が広がる。
【００４３】
なお、図３に示されている凸部６５は周縁部に沿って連続しているが、凸部６５は周縁部に沿って断続的に設けられてもよい。
【００４４】
（実施の形態２）
次に、実施の形態２に係るベッドについて説明する。図５は、実施の形態２に係るベッドの第一壁部１００および棚部２００の詳細な構造を示す斜視図である。なお、図５では、第一壁部１００の下端部の描写を省いている。図６は、実施の形態２に係るベッドにおいて棚部２００を第一壁部１００の所定の位置に固定した場合の、凹部１５７を含む位置におけるＹ−Ｚ平面の棚部２００と第一壁部１００の断面図である。図７および図８は、実施の形態２に係るベッドの棚部２００の詳細な構造を示す斜視図である。より詳しくは、図７は、棚部２００の突出部２８０が突出した状態を示す。図８は、棚部２００の突出部２８０が棚部２００内に隠れた状態を示す。なお、実施の形態２のベッドは、実施の形態１のベッド１０と比べ、第一壁部１００および棚部２００の一部の構成が異なっている。
【００４５】
実施の形態２に係るベッドでは、棚部２００は、第一壁部１００の外側面１４１に沿ってスライドすることにより上下方向（Ｚ軸方向）の位置を変更可能に外側面１４１に設けられる。以下、棚部２００の上下方向（Ｚ軸方向）の位置を外側面１４１に沿ってスライドすることによって変更する仕組みの一例を説明する。
【００４６】
図５および図６に示されているように、第一壁部１００では、上下方向（Ｚ軸方向）および幅方向（Ｙ軸方向）に延びる背壁１４２の、上端部１８１を除く周縁を、側壁１４４，側壁１４５、および底壁１４６がＸ軸方向のマイナス側に向けて立設されて取り囲んでいる。つまり、背壁１４２、側壁１４４，側壁１４５、および底壁１４６によって、第一壁部１００の外側面１４１には窪みが形成されている。
【００４７】
この第一壁部１００の外側面１４１の窪みの中に、棚部２００が、棚部２００の基部２６２を外側面１４１に接する形で嵌め込まれている（図５参照）。第一壁部１００において、側壁１４４および側壁１４５の内面１５５のそれぞれには、上下方向（Ｚ軸方向）に延びる２本のガイドレール１５０が設けられる。
【００４８】
これに対応する形で、棚部２００において、凸部２６５の両側方（Ｙ軸方向の両側）のそれぞれの外周面２６７には、２つのガイドレール受け部２７０が設けられる（図７を参照）。ガイドレール１５０とガイドレール受け部２７０とは互いに係合している。この係合によって、棚部２００は、上下方向（Ｚ軸方向）にスライド可能な状態で、第一壁部１００に結合されている。また、ガイドレール１５０とガイドレール受け部２７０との係合により、棚部２００は、載置面２６１を水平な状態（Ｘ−Ｙ平面と平行な状態）に保たせたまま上下移動するように規制されている。
【００４９】
更に、図５に示されているように、側壁１４４および側壁１４５の内面１５５のそれぞれには、２本のガイドレール１５０の間に、複数個の凹部１５７が上下方向（Ｚ軸方向）に並んで設けられている。また、側壁１４４の凹部１５７および側壁１４５の凹部１５７は、上下方向（Ｚ軸方向）で同じ位置に設けられるように並んでいる（図６を参照）。
【００５０】
これと対応する形で、棚部２００において、凸部２６５の両側方（Ｙ軸方向の両側）のそれぞれの外周面２６７には、２つのガイドレール受け部２７０の間に突出部２８０が設けられる（図７を参照）。
【００５１】
図６に示されているように、棚部２００の突出部２８０が、第一壁部１００の側壁１４４および側壁１４５の凹部１５７に嵌合されることにより、棚部２００の位置が固定される。
【００５２】
また、棚部２００の突出部２８０は、外周面２６７から突出した状態と外周面２６７より内側に隠れた状態との間を遷移するように動作する。図７は、棚部２００の突出部２８０が突出した状態を示す。図８は、棚部２００の突出部２８０が棚部２００内に隠れた状態を示す。
【００５３】
棚部２００には、レバー２８５が設けられている。図７に示されているように、棚部２００では、レバー２８５が棚部本体２９０から離れている状態の場合に、突出部２８０が外周面２６７から突出する。そして、図８に示されているように、レバー２８５が棚部本体２９０に近接している状態の場合に、突出部２８０が外周面２６７より内側に隠れる。
【００５４】
棚部２００の上下方向（Ｚ軸方向）の位置を変更する際には、レバー２８５を棚部本体２９０に近接させた状態にしておき、突出部２８０を外周面２６７より内側に隠した状態（図８を参照）で棚部２００を上下に移動させる。そして、棚部２００を上下方向（Ｚ軸方向）の所望の位置までスライドさせて動かした時に、レバー２８５を棚部本体２９０から離れた状態にすることにより、突出部２８０を突出させ、突出部２８０を凹部１５７に嵌合させる（図６および図７を参照）。このようにすると、棚部２００を上下方向（Ｚ軸方向）の所望の位置に固定することが可能になる。
【００５５】
上述の実施の形態２によれば、棚部２００を第一壁部１００から取り外すことなく、レバー２８５の簡便な操作によって棚部２００の上下方向（Ｚ軸方向）の位置を容易に調節できる点において優れている。
【００５６】
なお、ガイドレール１５０が第一壁部１００の背壁１４２に設けられ、これに対応して、ガイドレール受け部２７０が棚部２００の基部２６２の外周面２６７に設けられてもよい。
【００５７】
また、凹部１５７が第一壁部１００の背壁１４２に設けられ、これに対応して、突出部２８０が棚部２００の基部２６２から突出するように設けられてもよい。
【００５８】
突出部２８０を動作させる機構は、レバー２８５の動作によらず、ボタン、スイッチなどの動作によってもよい。
【００５９】
以上、本発明に係るベッドについて、実施の形態１および実施の形態２に基づいて説明したが、各実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【００６０】
例えば、ベッド１０では、車輪（キャスター）が設けられているが、車輪が設けられていなくてもよい。
【００６１】
また、ベッド１０では棚部６０の幅（Ｙ軸方向の長さ）が第一壁部４０の幅と略同一であるが、棚部６０の幅は、第一壁部４０の幅より大きくても、あるは小さくてもよい。
【００６２】
また、棚部６０が第一壁部４０に固定される際には、受け部４７ａ〜４７ｆを用いない形態を採用してもよい。例えば、第一壁部４０の背壁４２に、棚部６０の基部６２の形状と相補的な形状の凹部を設け、当該凹部に棚部６０の基部６２を嵌め込むことにより、棚部６０が第一壁部４０に固定されてもよい。この場合、ピン７０が不要となり、必要な部材の数を減らすことができる。
【００６３】
棚部６０が第一壁部４０の幅方向（Ｙ軸方向）に複数個並んで設けられていてもよい。この場合、複数個の棚部６０は、それぞれの上下方向（Ｚ軸方向）における位置が異なるように設けられてもよい。
【００６４】
あるいは、棚部６０が、上下方向（Ｚ軸方向）に複数個並んで設けられてもよい。
【００６５】
複数の棚部６０が設けられることで、大きさの異なる複数の物（例えば介護用具や医療用具や花瓶など）のそれぞれを適当な位置にある棚部６０に置くことが可能になる。
【００６６】
また、上述のように複数個の棚部６０が設けられることで、一部の棚部６０は上下方向（Ｚ軸方向）に位置を変更可能に設けられ、残余の棚部６０は上下方向（Ｚ軸方向）の位置を変更不可能で固定されて設けられてもよい。
【００６７】
棚部６０は、基部６２を中心に回転し、上下に折りたたむことが可能に設けられてもよい。このように棚部６０を折りたためる場合、棚部６０が不要な時に棚部６０を折りたたむことにより、棚部６０が邪魔にならなくて済む。
【００６８】
棚部２００のスライドによる上下方向（Ｚ軸方向）の位置の変更は、手動ではなく、リモコン操作による電動で行われてもよい。例えば、側壁１４４または側壁１４５に直動モータを内蔵させ、この直動モータに棚部２００が連結されることにより、棚部２００が電動で上下方向（Ｚ軸方向）にスライドしてもよい。このように棚部２００が電動でスライドすることで、棚部２００の上下方向（Ｚ軸方向）の位置の変更を容易に行うことが可能になる。
【符号の説明】
【００６９】
１０    ベッド
２０    床部
３０    基台
４０    第一壁部
４１    外側面
５０    第二壁部
６０    棚部
８０    電源コンセント
８２    下端部
９０    側壁部
９１    カバー
９２    本体部
１００    第一壁部
１４１    外側面
２００    棚部
【図１】
2017070457.tif 000003
【図２】
2017070457.tif 000004
【図３】
2017070457.tif 000005
【図４】
2017070457.tif 000006
【図５】
2017070457.tif 000007
【図６】
2017070457.tif 000008
【図７】
2017070457.tif 000009
【図８】
2017070457.tif 000010